(57)【要約】      （修正有）【課題】熱効率が良く、足の裏全体に十分に熱を伝えることができ、さらに取り扱いが簡便であり、また悪臭の発生やカビの発生などがない履物を提供する。【解決手段】履物Ｆの底部１に、使い捨ての発熱体３および防カビ作用、抗菌作用を有する植物エキス配合液剤の含浸シート４を装着し、これら発熱体３および含浸シート４の上に足裏当て体６を敷設したものにしている。また、履物の底部１に、使い捨ての発熱体３および防カビ作用、抗菌作用を有する植物エキス配合液剤の含浸シート４を装着し、これら発熱体３および含浸シート４の上に金属製の熱伝導体５を重ね合わせ、さらに最上層に足裏当て体６を敷設したものにしている。【選択図】図２
0003116482.tif 000002
【実用新案登録請求の範囲】
【請求項１】
履物（Ｆ）の底部（１）に、使い捨ての発熱体（３）および防カビ作用、抗菌作用を有する植物エキス配合液剤の含浸シート（４）を装着し、これら発熱体（３）および含浸シート（４）の上に足裏当て体（６）を敷設したことを特徴とする履物。
【請求項２】
履物（Ｆ）の底部（１）に、使い捨ての発熱体（３）および防カビ作用、抗菌作用を有する植物エキス配合液剤の含浸シート（４）を装着し、これら発熱体（３）および含浸シート（４）の上に金属製の熱伝導体（５）を重ね合わせ、さらに最上層に足裏当て体（６）を敷設したことを特徴とする履物。
【請求項３】
前記履物（Ｆ）の底部（１）に、発熱体（３）を収納する凹部（７）を形成したことを特徴とする請求項１または２記載の履物。
【請求項４】
前記発熱体（３）を、通気性を有する偏平状袋内に空気の存在下で酸化発熱する発熱組成物が封入されている使い捨てカイロにしたことを特徴とする請求項１または２記載の履物。
【請求項５】
前記発熱体（３）を、履物（Ｆ）の底部（１）に着脱自在として装着したことを特徴とする請求項１または２記載の履物。
【請求項６】
前記発熱体（３）を、使用者の土踏まずの下になるようにして履物（Ｆ）の底部（１）に装着したことを特徴とする請求項１記載の履物。
【請求項７】
前記発熱体（３）を、上面または下面に粘着層を設けて、履物（Ｆ）の底部（１）または足裏当て体（６）に着脱自在として粘着するようにしたことを特徴とする請求項１記載の履物。
【請求項８】
前記含浸シート（４）を、よもぎエキスおよび緑茶エキスを有効成分として配合した植物エキス配合液剤を含浸させたものにしたことを特徴とする請求項１または２記載の履物。
【請求項９】
前記含浸シート（４）を、クララ抽出液からなる植物エキス配合液剤を含浸させたものにしたことを特徴とする請求項１または２記載の履物。
【請求項１０】
前記含浸シート（４）を、履物（Ｆ）の底部（１）に着脱自在として装着したことを特徴とする請求項１または２記載の履物。
【請求項１１】
前記熱伝導体（５）を、金属細線で細かく編んだメッシュシートにして、通気性および柔軟性を有するものにしたことを特徴とする請求項１または２記載の履物。
【請求項１２】
前記熱伝導体（５）を、発熱体（３）に重なり合う当て部（５ａ）を設けたものにし、この当て部（５ａ）を捲り上げ自在なものにし、さらに足裏当て体（６）を、前記当て部（５ａ）に重なり合う部分に開閉蓋（６ａ）を設けたものにし、前記熱伝導体（５）と共に捲り上げ自在なものにして、凹部（７）を開閉自在にしたことを特徴とする請求項１または２記載の履物。
【請求項１３】
前記足裏当て体（６）に、発熱体（３）を粘着する粘着層（６ｂ）を設けたことを特徴とする請求項１記載の履物。
【請求項１４】
前記足裏当て体（６）を、履物（Ｆ）の先端側に、含浸シート（４）に含浸させた植物エキス配合液剤を発散させるための通気孔（１０）を設けたものにしたことを特徴とする請求項１または２記載の履物。
【考案の詳細な説明】
【技術分野】
【０００１】
この考案は、スリッパ、サンダル、靴などの履物の底部に発熱体を組み込んだ履物に関するものである。
【背景技術】
【０００２】
従来、この種の履物には、例えば図１０に示したように、履物Ｆの底部２１の内側面２２の略中央部に横穴２３を形成し、この横穴２３にカイロ２４を挿入したものが存在する。前記横穴２３の両側壁の適宜位置に小さな凹部２５、２５を形成し、カイロ２４が挿入された場合に凹部２５、２５に対応するカイロ２４の外面に小さな凸部２６、２６を設け、これら凸部２６、２６が凹部２５、２５に係止するようにし、カイロ２４の抜け落ちを防止している。さらに、挿入されたカイロ２４を、燃料補給や点火などのために引き出すのを容易にするために摘まみ２７を形成している。また、履物Ｆの底部２１の上面皮２８の下には、熱伝導体として金属の線状体２９が複数本配され、足の裏全体に熱が伝えられるようにしている（特許文献１）。
【０００３】
このように構成した従来の履物は、足温効果に優れ、簡素な構造のものにして容易な生産により廉価に提供できるなど、実用的効果に優れているとしている。
【特許文献１】実開昭５５−１６６５０２号公報（第１、２頁、第１図）
【考案の開示】
【考案が解決しようとする課題】
【０００４】
しかしながら、上記従来の履物は、熱伝導体として金属の線状体２９が複数本配されているものの、カイロ２４との接触面積が小さいため、熱効率が悪く、足の裏全体に熱を伝えるには不十分であるという問題点を有していた。
【０００５】
さらに、上記従来の履物は、発熱体としてカイロ２４を使用しているが、このカイロ２４は使い捨てではなく燃料補給や点火などをしなければならないため、取り扱いが不便であるという問題点を有していた。
【０００６】
また、上記従来の履物は、足温によって使用者が足に汗をかいた場合、この汗が履物にしみ込んだり、また雨などに濡れて履物が湿気を帯びた結果、雑菌が繁殖する場合があり、この雑菌の繁殖によって、悪臭の発生やカビの発生などの原因になるという問題点を有していた。
【０００７】
そこで、この考案は、上記従来の問題点を解決することをその課題としており、熱効率が良く、足の裏全体に十分に熱を伝えることができ、さらに取り扱いが簡便であり、また悪臭の発生やカビの発生などがない履物を提供することを目的としてなされたものである。
【課題を解決するための手段】
【０００８】
そのため、この考案の履物は、履物Ｆの底部１に、使い捨ての発熱体３および防カビ作用、抗菌作用を有する植物エキス配合液剤の含浸シート４を装着し、これら発熱体３および含浸シート４の上に足裏当て体６を敷設したものにしている。
【０００９】
そして、この考案の履物は、履物Ｆの底部１に、使い捨ての発熱体３および防カビ作用、抗菌作用を有する植物エキス配合液剤の含浸シート４を装着し、これら発熱体３および含浸シート４の上に金属製の熱伝導体５を重ね合わせ、さらに最上層に足裏当て体６を敷設したものにしている。
【００１０】
さらに、この考案の履物は、前記履物Ｆの底部１に、発熱体３を収納する凹部７を形成したものにしている。
【００１１】
また、この考案の履物は、前記発熱体３を、通気性を有する偏平状袋内に空気の存在下で酸化発熱する発熱組成物が封入されている使い捨てカイロにしている。
【００１２】
さらに、この考案の履物は、前記発熱体３を、履物Ｆの底部１に着脱自在として装着したものにしている。
【００１３】
また、この考案の履物は、前記発熱体３を、使用者の土踏まずの下になるようにして履物Ｆの底部１に装着したものとしている。
【００１４】
さらに、この考案の履物は、前記発熱体３を、上面または下面に粘着層を設けて、履物Ｆの底部１または足裏当て体６に着脱自在として粘着するようにしている。
【００１５】
また、この考案の履物は、前記含浸シート４を、よもぎエキスおよび緑茶エキスを有効成分として配合した植物エキス配合液剤を含浸させたものにしている。
【００１６】
さらに、この考案の履物は、前記含浸シート４を、クララ抽出液からなる植物エキス配合液剤を含浸させたものにしている。
【００１７】
また、この考案の履物は、前記含浸シート４を、履物Ｆの底部１に着脱自在として装着したものにしている。
【００１８】
さらに、この考案の履物は、前記熱伝導体５を、金属細線で細かく編んだメッシュシートにして、通気性および柔軟性を有するものにしている。
【００１９】
また、この考案の履物は、前記熱伝導体５を、発熱体３に重なり合う当て部５ａを設けたものにし、この当て部５ａを捲り上げ自在なものにし、さらに足裏当て体６を、前記当て部５ａに重なり合う部分に開閉蓋６ａを設けたものにし、前記熱伝導体５と共に捲り上げ自在なものにして、凹部７を開閉自在にしている。
【００２０】
さらに、この考案の履物は、前記足裏当て体６に、発熱体３を粘着する粘着層６ｂを設けたものにしている。
【００２１】
また、この考案の履物は、前記足裏当て体６を、履物Ｆの先端側に、含浸シート４に含浸させた植物エキス配合液剤を発散させるための通気孔１０を設けたものにしている。
【考案の効果】
【００２２】
この考案の履物は、以上に述べたように構成されているので、熱効率が良く、足の裏全体に十分に熱を伝えることができ、さらに取り扱いが簡便であり、また悪臭の発生やカビの発生などがないものになった。
【考案を実施するための最良の形態】
【００２３】
以下、この考案の履物の実施の形態を、図面に基づいて詳細に説明する。
【００２４】
図１〜７はこの考案の履物をサンダルに実施した形態を示しており、図８、９はこの考案の履物を靴に実施した形態を示している。
【００２５】
図１〜７において、１はサンダルとしたこの考案の履物Ｆの底部であり、２はその履物Ｆの突っかけ部である。
【００２６】
前記履物Ｆの底部１には、使い捨ての発熱体３および防カビ作用、抗菌作用を有する植物エキス配合液剤の含浸シート４を装着している。そして、これら発熱体３および含浸シート４の上には、金属製の熱伝導体５を重ね合わせ、さらに最上層に足裏当て体６を敷設したものにしている。
【００２７】
前記履物Ｆの底部１には、発熱体３を収納する凹部７を形成したものにしている。この凹部７は、履物Ｆの底部１の中央よりやや後方に形成し、平坦な直方体状の凹みにしており、図２に示したものでは、左右前後の壁面７ａ、７ｂ、７ｃ、７ｄが残るようにしており、図３に示したものでは、前後の壁面７ｃ、７ｄが残り、左右の壁面７ａ、７ｂが欠けるようにしており、図５に示したものでは、左壁面７ａおよび前後の壁面７ｃ、７ｄが残り右壁面７ｂが欠けるようにしており、図６に示したものでは、前後の壁面７ｃ、７ｄが残り、左右の壁面７ａ、７ｂが欠けるようにしており、図７に示したものでは、左壁面７ａおよび前後の壁面７ｃ、７ｄが残り右壁面７ｂが欠けるようにしている。そして、この凹部７に支持体８を収納し、この支持体８に発熱体３を収納している。前記支持体８は、図２に示したものでは、リップ溝形状の金属板８ａにしており、図３に示したものでは、四角枠形状の木枠８ｂにしており、図５に示したものでは、リップ溝形状の金属板８ａにＬ形状の金属板８ｃを摺動自在に挿入して、このＬ形状の金属板８ｃを引き出せるものにしており、図６に示したものでは、コ字形状の木枠８ｄにＬ形状の金属板８ｃを摺動自在に挿入して、このＬ形状の金属板８ｃを引き出せるものにしており、図７に示したものでは、上面に多数の通気孔９を形成すると共に隣り合う二辺を開口した四角形状の袋体８ｅにしている。図２、５に示した支持体８は、金属製にすることにより、発熱体３から熱伝導体５への熱効率をさらによくしており、図３に示した支持体８は、凹部７の左右の壁面７ａ、７ｂが欠けている場合に、凹部７に収納部を簡単に形成できるようにしており、さらに図５、６、７に示した支持体８は、発熱体３を引き出したり、押し込んだりできるようにしたり、発熱体３を持ち易くして、凹部７への発熱体３の出し入れをし易くしている。
【００２８】
前記発熱体３は、通気性を有する偏平状袋内に空気の存在下で酸化発熱する発熱組成物が封入されている使い捨てカイロにしている。そして、この発熱体３は、履物Ｆの底部１に着脱自在として装着したものにしている。
【００２９】
前記含浸シート４は、よもぎエキスおよび緑茶エキスを有効成分として配合した植物エキス配合液剤を含浸させたものにしたり、クララ抽出液からなる植物エキス配合液剤を含浸させたものにしている。このような植物エキス配合液剤は、例えば特開平１１−２２８３２５号公報および特開２００３−３２１３１５号公報に開示されており、いずれも防カビ作用、抗菌作用を有するものである。そして、この含浸シート４は、履物Ｆの底部１に着脱自在として装着したものにしている。さらに、この含浸シート４は、履物Ｆの底部１の上面の中央よりやや前方に重ね合わせたものにし、前記発熱体３を収納する凹部７にはかからない大きさにしている。
【００３０】
前記熱伝導体５は、銅や真鍮などの金属からなるメッシュシートにしている。このメッシュシートは、銅や真鍮などの金属細線で細かく編んだものにしており、通気性および柔軟性を有するものにし、履物Ｆの底部１の上面に丁度沿うものにしている。そして、この熱伝導体５は、図２、３に示したものでは、発熱体３に重なり合う当て部５ａを設けたものにしている。この当て部５ａは、発熱体３と略同形状にして捲り上げ自在なものにしている。さらに、前記熱伝導体５は、図５〜７に示したものでは、履物Ｆの底部１の上面と略同形状にしたものとしている。
【００３１】
前記足裏当て体６は、ポリウレタン、ポリエステル、ポリビニルアルコールなどの合成樹脂シートからなるものにしている。そして、この足裏当て体６は、履物Ｆの底部１の上面と略同形状にしたものとしており、その周囲を履物Ｆの底部１の上面の周囲に縫着したり接着するなどして、履物Ｆに固定したものとしている。さらに、この足裏当て体６は、図２、３に示したものでは、熱伝導体５の当て部５ａに重なり合う部分に開閉蓋６ａを設けたものにし、前記熱伝導体５と共に捲り上げ自在なものにして、凹部７を開閉自在にしており、図５〜７に示したものでは、凹部７の右側方に当たる部分に開閉蓋６ａを設けたものにし、凹部７を開閉自在にしている。また、前記足裏当て体６は、履物Ｆの先端側に、含浸シート４に含浸させた植物エキス配合液剤を発散させるための通気孔１０を設けたものにしている。なお、前記開閉蓋６ａは、図２、３に示したものでは、裏面を粘着層にして、足裏当て体６から不用意に捲り上がって開かないようにしたり、図５〜７に示したものでは、履物Ｆの底部１の側面との係着具１１を設けるなどして、不用意に開かないようにしている。
【００３２】
図８、９において、１は靴としたこの考案の履物Ｆの底部であり、１１はその履物Ｆの本体部である。
【００３３】
前記履物Ｆの底部１には、使い捨ての発熱体３および防カビ作用、抗菌作用を有する植物エキス配合液剤の含浸シート４を装着している。そして、これら発熱体３および含浸シート４の上には、足裏当て体６を敷設したものにしている。
【００３４】
前記履物Ｆの底部１には、図１〜７に示したもののように発熱体３を収納する凹部７を形成することなく平坦なものにしているが、必要に応じて底部１を少し窪ませて、凹部７を形成したものにしてもよい。
【００３５】
前記発熱体３は、図１〜７に示したものと同様に、通気性を有する偏平状袋内に空気の存在下で酸化発熱する発熱組成物が封入されている使い捨てカイロにしている。そして、この発熱体３は、履物Ｆの底部１に着脱自在として装着したものにしている。さらに、この発熱体３は、使用者の土踏まずの下になるようにして履物Ｆの底部１に装着したものにすると違和感が少なく好ましい。そして、この発熱体３には、上面または下面に粘着層（図示せず）を設けて、履物Ｆの底部１または足裏当て体６に着脱自在として粘着するようにして、前記土踏まずの下からずれないようにするのが好ましい。
【００３６】
前記含浸シート４は、図１〜７に示したものと同様に、よもぎエキスおよび緑茶エキスを有効成分として配合した植物エキス配合液剤を含浸させたものにしたり、クララ抽出液からなる植物エキス配合液剤を含浸させたものにしている。そして、この含浸シート４は、履物Ｆの底部１に着脱自在として装着したものにしている。さらに、この含浸シート４は、履物Ｆの底部１の上面の中央よりやや前方に重ね合わせたものとし、前記発熱体３には直接かからない大きさにしている。
【００３７】
前記足裏当て体６は、図１〜７に示したものと同様に、ポリウレタン、ポリエステル、ポリビニルアルコールなどの合成樹脂シートからなるものにしている。そして、この足裏当て体６は、履物Ｆの底部１の上面と略同形状にしたものとしており、この履物Ｆの底部１に着脱自在として装着したものにしている。さらに、前記足裏当て体６は、履物Ｆの先端側に、含浸シート４に含浸させた植物エキス配合液剤を発散させるための通気孔１０を設けたものにしている。なお、前記発熱体２に粘着層を設けていない場合には、この足裏当て体６に発熱体３を粘着する粘着層６ｂを設けたものにして、発熱体３が使用者の土踏まずの下からずれないようにしておくことができる。
【００３８】
以上のように構成したこの考案の履物は、図１、４および図９に示した状態で使用することができる。図１に示したものでは、足裏当て体６の開閉蓋６ａは使用者の足裏で押さえられ、使用中に不用意に開くことがなく、図４に示したものでは、足裏当て体６の開閉蓋６ａは係着具１１で止められており、使用中に不用意に開くことがないので、いずれも発熱体２が凹部７から出てしまうことはない。そして、発熱体３の熱は熱伝導体５に伝えられ、さらに足裏当て体６に伝えられて、この足裏当て体６が温かくなる。図９に示したものでは、発熱体３の上に足裏当て体６を敷設したものにしているので、発熱体３の熱は直に足裏当て体６に伝えられて、この足裏当て体６が温かくなる。したがって、この考案の履物は、熱効率が良いものとなり、この履物Ｆを履いた使用者の足裏は十分に温められることになる。
【００３９】
さらに、この考案の履物は、前記発熱体３の熱が含浸シート４にも伝えられ、この含浸シート４が温かくなって、含浸シート４に含浸させた植物エキス配合液剤が蒸発し、履物Ｆの底部１に充満すると共に足裏当て体６の通気孔１０から発散する。したがって、この考案の履物は、悪臭が発生したり、カビが発生したりすることがないものになり、しかも使用者の足からも悪臭が発生することなく、また水虫の予防にもなるという効果を有するものになる。
【００４０】
そして、この考案の履物は、図１および４に示した状態から、足裏当て体６の開閉蓋６ａを開いたり、図９に示した状態から足裏当て体６を履物Ｆの底部１から外したりすると、発熱体３を新しいものに交換することができるので、何度も使用することができる。なお、この考案の履物は、使用者の足裏を温める必要のない場合には、前記発熱体３を外して使用することができるのはいうまでもない。この場合にも、前記含浸シート４に含浸させた植物エキス配合液剤が自然蒸発し、履物Ｆの底部１に充満すると共に足裏当て体６の通気孔１０から発散するので、前記したのと同様の効果が得られる。
【図面の簡単な説明】
【００４１】
【図１】この考案の履物の一実施形態を示す斜視図である。
【図２】図１に示すこの考案の履物の分解斜視図である。
【図３】この考案の履物の他の実施形態を示す分解斜視図である。
【図４】この考案の履物のさらに他の実施形態を示す斜視図である。
【図５】図４に示すこの考案の履物の分解斜視図である。
【図６】この考案の履物のさらに他の実施形態を示す分解斜視図である。
【図７】この考案の履物のさらに他の実施形態を示す分解斜視図である。
【図８】この考案の履物のさらに他の実施形態を示す分解斜視図である。
【図９】図８に示すこの考案の履物の断面図である。
【図１０】従来の履物の発熱体を外した状態の斜視図である。
【符号の説明】
【００４２】
１  底部
３  発熱体
４  含浸シート
５  熱伝導体
５ａ  当て部
６  足裏当て体
６ａ  開閉蓋
６ｂ  粘着層
７  凹部
１０  通気孔
Ｆ  履物
【図１】
0003116482.tif 000003
【図２】
0003116482.tif 000004
【図３】
0003116482.tif 000005
【図４】
0003116482.tif 000006
【図５】
0003116482.tif 000007
【図６】
0003116482.tif 000008
【図７】
0003116482.tif 000009
【図８】
0003116482.tif 000010
【図９】
0003116482.tif 000011
【図１０】
0003116482.tif 000012